(57)【要約】  患者看護および治療装置の中央制御ネットワークが提供される。この患者看護および治療装置は、データポートおよび電力ポートをそれぞれ備えるデータネットワークおよび電力ネットワークを含む。電力受信機は電力ネットワークと通電状態にあり、電源から電力を受け取る。制御ユニットはデータネットワークおよび電力ネットワークと通電状態にあり、データネットワーク沿って動作命令を送信する。この装置は、少なくとも１つの医療用モジュールを更に含み、医療用モジュールは、別個の医療機能を実行可能な医療装置を含む。モジュールは、データポートおよび電力ポートにそれぞれ接続可能なデータコネクタおよび電源コネクタを更に含む。データアダプタは、データコネクタおよび医療装置と通電状態にあり、データネットワークと医療装置の間において通信を変換する。電力アダプタは、電源コネクタを介して電力ネットワークから電力を受け取り、医療装置の電力条件に準じて電力を変換する。
2011502637.tif 000002
【特許請求の範囲】
【請求項１】
ハウジング内に配置された中央制御ネットワークに対し共通して接続されている１組の医療看護および治療装置を有する、患者看護および治療用の装置において、前記患者看護および治療用の装置は、
複数の制御ポートを有する内部制御ネットワークであって、前記制御ネットワークに沿って制御伝達を行うように構成された制御ユニットを含む、内部制御ネットワークと、
前記制御ネットワークに対して結合分離可能な複数の医療用モジュールと、を備え、
前記複数の医療用モジュールは各々、
医療機能を実行可能な医療装置と、
前記複数の制御ポートのうちの１つに接続可能な適応型インタフェースと、
各医療装置に関連したモジュール変換器であって、適応型インタフェースおよび医療装置に連絡した状態にあり、前記制御ネットワークから受けた伝達を医療装置の動作条件に適合させるように動作する、モジュール変換器と、を備え、
制御ユニットは、前記制御ネットワークに結合された前記複数の医療用モジュールのそれぞれを検出し、該結合された医療用モジュールに電源投入信号を選択的に伝達するように動作し、
各適応型インタフェースは、制御ユニットから電源投入信号を受信し、それぞれのモジュール変換器が前記制御ネットワークから電力を受け取ることを可能とするように動作する、装置。
【請求項２】
前記制御ネットワークはデータ制御ネットワークであり、制御ユニットは、同制御ネットワークに沿ってデータ通信を送信するように動作し、モジュール変換器は、前記制御ネットワークから受信したデータ通信を医療装置の動作データ条件に適合させるように構成されている、請求項１に記載の装置。
【請求項３】
制御ユニットは、共通のデータ言語により前記制御ネットワークに沿ってデータ通信を送信する、請求項２に記載の装置。
【請求項４】
医療装置はＯＥＭ医療装置であり、モジュール変換器は、適応型インタフェースを介して前記制御ネットワークから共通のデータ言語によりデータ通信を受信し、ＯＥＭ言語により医療装置に同データ通信を伝達するように動作する、請求項３に記載の装置。
【請求項５】
前記制御ネットワークと通電状態にあり、患者データを表示し、ユーザが制御ユニットに動作命令を入力することを可能とするように動作するユーザインタフェースを更に含む、請求項２に記載の装置。
【請求項６】
前記制御ネットワークと通電状態にあり、前記制御ネットワークから患者データを受信して分析するように構成されているデータ分析装置を更に含む、請求項２に記載の装置。
【請求項７】
前記制御ネットワークと通電状態にあり、患者データが少なくとも１つのアラーム限界に等しいとき、前記制御ネットワークにアラーム信号を送信するように動作するアラーム管理ユニットを更に含む、請求項２に記載の装置。
【請求項８】
前記制御ネットワークと通電状態にあり、患者データを記録するように動作するデータ記録装置を更に含む、請求項２に記載の装置。
【請求項９】
前記制御ネットワークは電力制御ネットワークであり、制御ユニットは、同制御ネットワークに沿って電力伝達を行うように動作し、モジュール変換器は、前記制御ネットワークから受けた電力伝達を医療装置の動作電力条件に適合させるように構成されている、請
求項１に記載の装置。
【請求項１０】
前記制御ネットワークと通電状態にある電源を更に含む、請求項９に記載の装置。
【請求項１１】
電源は、装置の動作を中断させることなく、前記制御ネットワークに対し選択的に接続分離可能であるように構成されている内部電源である、請求項１０に記載の装置。
【請求項１２】
制御ユニットは電源と通電状態にあり、制御ユニットは前記制御ネットワークに沿って電源からの電力の伝達を制御するように構成されている、請求項１０に記載の装置。
【請求項１３】
電源は内部電源と外部電源との両方を含み、制御ユニットは、内部電源および外部電源のうちの一方が故障すると、動作の中断なく内部電源と外部電源との間で移行するように構成されている、請求項１２に記載の装置。
【請求項１４】
前記制御ネットワークと通電状態にあり、前記電力制御ネットワークに沿って伝達される電力を監視するように動作する電力管理ユニットを更に含む、請求項９に記載の装置。
【請求項１５】
医療装置はＯＥＭ装置であり、モジュール変換器は、前記制御ネットワークから電力を受け取り、ＯＥＭ装置の電力条件に準じて電力を変換するように動作する、請求項９に記載の装置。
【請求項１６】
前記制御ネットワークと通電状態にあり、プリンタに患者データを送信するように動作する印刷ポートを更に含む、請求項１に記載の装置。
【請求項１７】
前記制御ネットワークと電気通信通電状態にあり、外部ネットワークと通信を行うように動作する外部ネットワーク接続部を更に含む、請求項１に記載の装置。
【請求項１８】
少なくとも１つの医療用モジュールは、前記装置の動作中に前記制御ネットワークに対して結合分離可能である、請求項１に記載の装置。
【請求項１９】
ハウジング内に配置された中央温度制御ネットワークに対し共通して接続されている１組の医療看護および治療装置を有する、患者看護および治療用の装置において、前記患者看護および治療用の装置は、
複数の温度制御ポートおよび複数のデータ制御ポートを有する内部温度制御ネットワークであって、前記温度制御ネットワークに沿って動作命令を伝達するように構成された温度制御ユニットを含む、温度制御ネットワークと、
前記温度制御ネットワークと連通し、かつ、通電状態にあるファンであって、前記温度制御ネットワークに沿って流体を流すように構成されており、温度制御ユニットから伝達される動作命令に応答する、ファンと、
前記温度制御ネットワークに対して結合分離可能な複数の医療用モジュールと、を備え、
前記複数の医療用モジュールは各々、
医療機能を実行可能な医療装置と、
前記複数の温度制御ポートのうちの１つに流体接続可能であり、前記複数のデータ制御ポートのうちの１つに電気接続可能である適応型インタフェースと、
適応型インタフェースと通電状態にあるモジュール温度センサであって、少なくとも１つのモジュール内の温度を監視し、適応型インタフェースを介して前記温度制御ネットワークにモジュール温度データを送信するように構成されている、モジュール温度センサと、を備え、
少なくとも１つの医療用モジュールは、温度動作パラメータを定義する医療装置を含み
、同医療装置の動作は、温度動作パラメータの条件が満足されているかに依存し、温度制御ユニットは、同医療装置のそれぞれの温度動作パラメータを検出するように動作する、装置。
【請求項２０】
温度制御ユニットと電気通信通電状態にある複数の流体制御弁であって、各流体制御弁は、動作命令に応じて前記複数の流体制御ポートのそれぞれを通じた流体の流れを調節するように、前記複数の流体制御ポートのそれぞれと連通している流体制御弁を更に含む、請求項１９に記載の装置。
【請求項２１】
前記温度制御ネットワークは複数の排出制御ポートを更に含み、適応型インタフェースは、前記少なくとも１つのモジュールから排出を行うように、前記複数の排出制御ポートのうちの１つに流体接続可能である、請求項１９に記載の装置。
【請求項２２】
ハウジング内に配置された中央流体制御ネットワークに対し共通して接続されている１組の医療看護および治療装置を有する、患者看護および治療用の装置において、前記患者看護および治療用の装置は、
流体制御ユニットおよび複数の流体制御ポートを有する内部流体制御ネットワークであって、前記流体制御ネットワークに沿って流体を伝達するように構成されており、流体制御ユニットは前記流体制御ネットワークに沿った流体の伝達を制御するように動作する、流体制御ネットワークと、
前記流体制御ネットワークと連通している流体源と、
前記流体制御ネットワークに対して結合分離可能な複数の医療用モジュールと、を備え、
前記複数の医療用モジュールは各々、
医療機能を実行可能な医療装置と、
前記複数の流体制御ポートのうちの１つに接続可能であって、医療装置と連通している適応型インタフェースと、
医療装置と連通している流体排出ポートであって、少なくとも１つの医療用モジュールから流体を放出するように構成された流体排出ポートと、を備え、
少なくとも１つの医療用モジュールは、流体動作パラメータを定義する医療装置を含み、同医療装置の動作は、流体動作パラメータの条件が満足されているかに依存し、流体制御ユニットは、医療装置のそれぞれの流体動作パラメータを検出するように動作する、装置。
【請求項２３】
流体制御ユニットと通電状態にあり、前記複数の流体制御ポートのそれぞれと連通している弁であって、流体制御ユニットから伝達される動作命令に応じて前記複数の流体制御ポートのそれぞれを通じた流体の流れを制御するように構成された弁を更に含む、請求項２２に記載の装置。
【請求項２４】
流体源は、
酸素貯蔵器と、
酸素発生装置と、
外部流体源に接続可能な外部流体ポートと、から選択される、請求項２２に記載の装置。
【請求項２５】
ハウジング内に配置された中央制御システムに対し共通して接続されている１組の医療看護および治療装置を有する、患者看護および治療用の装置において、前記患者看護および治療用の装置は、
複数のデータ制御ポートを有する内部データ制御ネットワークであって、前記データ制御ネットワークに沿ってデータ通信を送信するように構成されたデータ制御ユニットを含
む、データ制御ネットワークと、
複数の電力制御ポートを有する内部電力制御ネットワークであって、前記電力制御ネットワークに沿って電力伝達を行うように構成された電力制御ユニットを含む、電力制御ネットワークと、
複数の温度制御ポートを有する内部温度制御ネットワークであって、前記データ制御ネットワークと通電状態にある温度制御ユニットを備え、温度制御ユニットは前記データ制御ネットワークに沿って温度通信を送信するように構成されている、温度制御ネットワークと、
前記温度制御ネットワークと連通しており、前記データ制御ネットワークと通電状態にあるファンであって、温度制御ユニットから伝達される動作命令に応じて前記温度制御ネットワークに沿って流体を流すように構成された、ファンと、
流体制御ユニットと複数の流体制御ポートとを有する内部流体制御ネットワークであって、前記流体制御ネットワークに沿って流体を伝達するように構成されており、流体制御ユニットは前記流体制御ネットワークに沿った流体の伝達を制御するように動作する、流体制御ネットワークと、
前記制御ネットワークと連通している流体源と、
前記制御ネットワークに対して結合分離可能な複数の医療用モジュールと、を備え、
前記医療用モジュールは各々、
医療機能を実行可能な医療装置と、
前記複数のデータ制御ポートのうちの１つ、前記複数の電力制御ポートのうちの１つ、前記複数の温度制御ポートのうちの１つ、および前記複数の流体制御ポートのうちの１つに接続可能な適応型インタフェースであって、医療装置と通電状態にあり、かつ、連通している適応型インタフェースと、
医療装置に関連したモジュールデータ変換器であって、適応型インタフェースおよび医療装置と通電状態にあり、前記データ制御ネットワークからのデータ通信を、関連した医療装置の動作データ条件に適合させるように動作する、モジュールデータ変換器と、
医療装置に関連したモジュール電力変換器であって、適応型インタフェースおよび医療装置と通電状態にあり、前記電力制御ネットワークからの電力の伝達を、関連した医療装置の動作電力条件に適合させるように動作する、モジュール電力変換器と、
適応型インタフェースと通電状態にあるモジュール温度センサであって、前記複数のモジュールのそれぞれの内部の温度を監視し、温度制御ユニットにモジュール温度データを送信するように構成された、モジュール温度センサと、
医療装置と連通している流体排出ポートであって、前記複数の医療用モジュールのそれぞれから流体を放出するように構成された、流体排出ポートと、を備え、
少なくとも１つの医療用モジュールは、流体動作パラメータを定義する医療装置を含み、同医療装置の動作は、流体動作パラメータの条件が満足されているかに依存し、流体制御ユニットは、同医療装置のそれぞれの流体動作パラメータを検出するように動作し、
少なくとも１つの医療用モジュールは、温度動作パラメータを定義する医療装置を含み、同医療装置の動作は、温度動作パラメータの条件が満足されているかに依存し、温度制御ユニットは、同医療装置のそれぞれの温度動作パラメータを検出するように動作し、
少なくとも１つの医療用モジュールは、電力動作パラメータを定義する医療装置を含み、同医療装置の動作は、電力動作パラメータの条件が満足されているかに依存し、前記電力制御ユニットは、同医療装置のそれぞれの電力動作パラメータを検出するように動作する、装置。
【請求項２６】
各医療装置は動作パラメータを定義し、各医療装置の動作は動作パラメータの条件が満足されているかに依存し、制御ユニットは、前記制御ネットワークに結合された前記複数の医療用モジュールのうちの少なくとも１つの医療用モジュールのそれぞれの動作パラメータを検出するように動作する、請求項１に記載の装置。
【請求項２７】
制御ユニットは、前記複数の医療用モジュールの動作パラメータに合うよう前記制御伝達を適合させるように動作する、請求項２６に記載の装置。
【請求項２８】
前記制御ネットワークは流体制御ネットワークであり、前記制御伝達は、前記流体制御ネットワークと前記複数の医療用モジュールとの間における流体伝達を含む、請求項２７に記載の装置。
【請求項２９】
各医療装置は、前記制御ネットワークに患者データを送信するように構成されており、制御ユニットは、各医療装置から受信される患者データに応じて前記制御伝達を調整するように構成されている、請求項１に記載の装置。
【発明の詳細な説明】
【技術分野】
【０００１】
本発明は、複数の患者監視／治療モジュールを含む持ち運び可能な治療システムに関する。より詳細には、本発明は患者を治療するのに有用であり、様々な環境（たとえば、総合病院、野営地（ｆｉｅｌｄ  ｓｔａｔｉｏｎ））または医療輸送において機能するように適合可能である、一組の医療監視／治療モジュールを含む装置の構築態様に関する。
【背景技術】
【０００２】
医療監視と治療の用途は、様々な環境に及ぶ。自然災害または戦場環境の場合、外部資源が利用不可能であり、可搬性の優先度が高く、迅速な監視／治療が不可欠とされる危険な環境への配備に適した装置が必要である。他の要因（たとえば、重量の低減、信頼性）の優先度も高い。
【０００３】
それほど危険性のない他の環境において、専用の手術室または救急救命室の数によって対応されるレベルを超えた医学的配慮が求められる場合に容易に使用開始可能な、可搬型の一組の医療監視／治療装置も有用である。このような場合は、たとえば交通事故の結果、地方の病院が多数の患者を受け入れるとき、または通常の需要が、医療施設の既存の容量を越えて漸次増加するときに生じ得る。このように、可搬型の一組の医療監視／治療モジュールは、増大する利用数（救急サービスとその他の両方の利用数）に適応する。
【０００４】
また、様々な医療監視／治療装置の統合が改善し、各種の医療装置との互換性が増大するにつれ、このような持ち運び可能な装置の組は、現代の病院で見られる数々の分散型システムに競合し得る。また、医師および看護師は、統合された表示ユニットおよび制御ユニットを用いて医療処置を行う方が、別々に機能して、患者を治療する医療関係者にとって困難にも思われる固有の動作条件、ユーザインタフェース、および空間条件を各々有し得る一連の装置を用いるよりも簡単である、と明確に感じる場合がある。
【０００５】
現代の種々の医療装置の組は、典型的には、ほぼ容易に入手可能な一連の医療監視／治療装置を有する患者支持プラットフォームとして構成されている。また、このような医療監視／治療装置は、該プラットフォームに固定され、または該プラットフォームによって支持されている。ほとんどの場合、互いに独立して動作されるこのような装置は、統合費用を最小にすること、および既に認可されている状況から実質的に変更された装置を含むシステムの政府認可を必要とせず、上記のような装置の取引に必要な認可を得ることにおいて有益である。
【０００６】
しかし、このような現代のシステムは開発費が削減されるという経済的利点をもたらすが、結果的にこのようなシステムは、たとえば配線需要、複数の電力／データプロトコルの機能に対応する能力、多機能に対して同時制御を行う際の困難、中央処理機能と配電機能を変更せずに様々な監視／治療装置の更新に対応する際の困難、およびプラットフォーム全体の単純性、信頼性、および安定性に影響する他の要因など、数々の欠点を有する。
【発明の概要】
【発明が解決しようとする課題】
【０００７】
このように、個々のモジュールが、共通のデータプロトコル、標準電力レベル、および標準化された入出力ポートと接続することが可能な一組の患者監視／治療モジュールを提供することは有用である。好適には、このような一組の医療監視／治療装置は配電の需要、データ分配の需要、または中央位置からデータの管理および表示を行う機能に関する需要を変更する必要なく、異なるモジュール（更新されたモジュールを含む）の置換を容易
にするモジュール構造において形成される。
【０００８】
既存の医療監視／治療装置の組が、患者と装置の環境サポートを助けるように、並びに医療監視／治療モジュールの存在および位置とそれらの個々の条件とに対して容易に調整されるように改善可能である場合、更に有用である。
【０００９】
本発明は、上記の要件について対処する。以下により詳細に説明するように、本発明は、その様々な発明態様において、ユーザの取り扱いやすいディスプレイとインタフェースによって高度の患者サポートを提供する様々な医療機能および処方療法を実施するのに有用となり得る医療監視治療装置のデータおよび電力のアーキテクチャを提供する。このように、本発明は、通常はより基本的なサポートを利用可能な数々の用途にまで治療の質を拡大することができる。
【課題を解決するための手段】
【００１０】
本発明の一態様によると、制御ネットワークと、制御ネットワークに対して結合分離可能な少なくとも１つの医療用モジュールとを備える患者看護および治療装置が提供される。制御ネットワークは、複数の制御ポートと、該制御ネットワークに沿って伝達を行うように構成された制御ユニットとを含む。各医療用モジュールは、医療機能を実行可能な医療装置を含む。このモジュールは、複数の制御ポートのうちの１つに接続可能な適応型インタフェースを更に含む。各医療装置に関連したモジュール変換器は、適応型インタフェースおよび医療装置に連絡した状態にある。モジュール変換器は、制御ネットワークから受けた伝達を、医療装置の動作条件に適合させるように動作する。
【００１１】
本発明の様々な特徴には、治療監視装置の集中制御動作ネットワークが含まれる。集中制御動作ネットワークは、複数の医療装置を単一の患者看護および治療装置に統合することができる。このように本発明は、様々な異なる治療および療法を提供する際の柔軟性を与えることができる。このような柔軟性は、危険な環境（たとえば、様々な病気や疾病が生じ得る戦場や自然災害の区域）において特に有益な場合がある。この柔軟性は、モジュール式の医療ユニットに共通の電力ネットワークおよびデータネットワークを提供することによって達成されてもよい。したがって、複数のモジュール式ユニットを制御するために、共通のデータ言語／プロトコルが使用されてもよい。共通の電力、データ、および流体ネットワークへのモジュール式ユニットの適合性によって、電力、データ、および流体の分配を変更することなく、迅速且つ容易に置換が行える。
【００１２】
制御ネットワークが該制御ネットワークに沿ってデータ通信を送信するように構成されたデータ制御ネットワークを含むことも想定される。このように、モジュール変換器は、制御ネットワークから受信したデータ通信を、医療装置の動作データ条件に適合させるように構成されてもよい。制御ネットワークが該制御ネットワークに沿って電力伝達を行うように構成された電力制御ネットワークを含むことも想定される。したがってモジュール変換器は、制御ネットワークから受け取った電力伝達を、医療装置の動作電力条件に適合させるように構成されてもよい。医療装置は、ＯＥＭ（ｏｒｉｇｉｎａｌ  ｅｑｕｉｐｍｅｎｔ  ｍａｎｕｆａｃｔｕｒｅ）製の医療装置であってもよい。このためモジュール変換器は、データ通信および／または電力伝達を、ＯＥＭ医療装置の特定の条件に適合させてもよい。患者看護および治療装置は、複数の温度制御ポートおよび複数のデータ制御ポートを有する温度制御ネットワークを更に含んでもよい。温度制御ネットワークは、該温度制御ネットワークに沿って動作命令を伝達するように構成された温度制御ユニットを含む。
【００１３】
患者看護および治療装置は、温度制御ネットワークと連通し、かつ、通電状態にあるファンを更に含んでもよい。ファンは、温度制御ネットワークに沿って流体を流すように構
成されてもよい。ファンは、温度制御ユニットから伝達された動作命令に応答してもよい。各医療用モジュールは、温度制御ネットワークに対して結合分離可能であってもよい。このように、適応型インタフェースは、複数のデータ制御ポートのうちの１つに流体接続可能であってもよい。各医療用モジュールは、適応型インタフェースと電気的な通信状態にあるモジュール温度センサを更に含んでもよい。モジュール温度センサは、モジュール内の温度を監視し、適応型インタフェースを介して温度制御ネットワークにモジュール温度データを送信するように構成されてもよい。
【００１４】
患者看護および治療装置は、流体制御ユニットおよび複数の流体制御ポートを有する流体制御ネットワークを更に含んでもよい。流体制御ネットワークは、該流体制御ネットワークに沿って流体を伝達するように構成されてもよい。流体制御ユニットは、該流体制御ネットワークに沿って流体の伝達を制御するように動作してもよい。流体源は、流体制御ネットワークと連通してよい。また、各医療用モジュールは、複数の流体制御ポートのうちの１つに接続可能な適応型インタフェースを含んでもよい。適応型インタフェースは、医療装置と連通してよい。モジュールは、医療装置に連通した流体排出ポートを更に含んでもよい。流体排出ポートは、それぞれの医療用モジュールから流体を放出するように構成されてもよい。
【図面の簡単な説明】
【００１５】
【図１】患者看護および治療装置の制御ネットワークのブロック図。
【図２】患者看護および治療装置のデータ制御ネットワークのブロック図。
【図３】患者看護および治療装置の電力制御ネットワークのブロック図。
【図４】高電力ネットワークと低電力ネットワークとを含む、患者看護および治療装置の電力制御ネットワークのブロック図。
【図５】高電力モジュールのブロック図。
【図６】低電力モジュールのブロック図。
【図７】患者看護および治療装置の温度制御ネットワークのブロック図。
【図８】患者看護および治療装置の流体制御ネットワーク１０１のブロック図。
【発明を実施するための形態】
【００１６】
本明細書に開示する様々な実施形態の他の特徴および利点は、類似の番号が類似の部材を示す以下の記載および図面に関連してより理解されるであろう。
以下の説明は、現時点における本発明の好適な実施形態の記載を意図しており、本発明が構成または利用される得る唯一の形式を表すものではない。この記載は、本発明の構成および動作のステップについて、機能とシーケンスを説明する。同等または等価の機能およびシーケンスが異なる実施形態によって達成され得ること、並びに本発明の範囲内に包含されるものであることも理解されたい。
【００１７】
図１〜図８を参照し、本発明は、様々な医療装置および機能を単一ユニットに統合するための患者看護および治療装置の集中制御ネットワーク１０に関する。本発明が戦闘領域、大量の死傷者が発生する場所、適切な医療施設のない過酷な環境、および個々の外傷現場に配置された場合に幅広い応用が可能となることが特に想定される。配備されたシステムは、個別化された持ち運び可能な集中治療ユニットと、負傷者の評価、治療や、負傷地点からの負傷者の退避を行うための支援機器および通信とを提供し、より決定的な健康管理を行うことを可能とする。また本装置は、病院において予備治療看護装置として殊に有用であってもよく、または外科用ベッドもしくはＩＣＵベッドに組み込まれてもよい。
【００１８】
本発明の様々な実施形態は、複数の個々の治療監視モジュール１６を中央動作システムに接続可能にする。各モジュール１６は、別個の医療機能を実行可能であってもよい。各モジュール１６は、医療機能を実行可能な医療装置１８を含む。機能には、次に限定され
ないが、臨床分析装置、除細動器、注入ポンプ、吸気／吸引、換気、流動、酸素発生装置、酸素ガス供給装置（ｒｏｕｔｅｒ）、および生理学的監視（たとえば、心電図、非観血血圧、心拍数、パルス酸素濃度計、観血血圧、中核温、非侵襲的な呼吸速度）が含まれる。
【００１９】
中央動作システムは、データ制御ネットワーク３１、電力制御ネットワーク４４、流体制御ネットワーク１０１、温度制御ネットワーク８７を含んでもよい（これらについては、以下により詳細に説明する）。医療用モジュール１６が医療機能を患者の個々の必要性に適合させるべく、所望に応じて、制御ネットワーク１０に接続されても制御ネットワーク１０から分離されてもよいことが想定される。このモジュール１６が制御ネットワーク１０に接続されると、ホスト装置と通信可能となる。
【００２０】
図１を参照し、ホストシステムにおいて使用される中央制御ネットワーク１０を示す。この制御ネットワーク１０は、制御ユニット１２と複数の制御ポート１４とを含む。制御ユニット１２は、制御ネットワーク１０に沿って伝達を行うように構成される。このような伝達は、データ通信、電力伝達（たとえば電圧）、温度制御伝達、および／または流体伝達であってもよい。当業者に既知の他の伝達が制御ネットワーク１０に沿って行われることも想定される。各モジュール１６は、制御ネットワーク１０とモジュール１６の間の伝達を容易にするために、制御ネットワーク１０に接続可能である。制御ネットワーク１０が複数の医療用モジュール１６に同時に接続されるように構成されていることも想定される。各モジュール１６は、複数の制御ポート１４のうちの１つに接続可能な適応型インタフェース２０を含む。適応型インタフェース２０と制御ポート１４は、相補的コネクタを含んでもよい。たとえばこのようなコネクタには、雄雌のコネクタ、または本技術分野で使用される他のコネクタが含まれてもよい。モジュール１６は、各医療装置１８に関連したモジュール変換器２２を更に含む。モジュール変換器２２は、制御ネットワーク１０から受け取った伝達を、医療装置１８の動作条件に適合させるように構成されている（これについては、以下により詳細に説明する）。
【００２１】
図２を参照し、本発明の特定の実施形態は、制御ネットワーク１０を含む。この制御ネットワーク１０は、該制御ネットワーク１０に沿ってデータを通信するように構成されている。このように制御ネットワーク１０は、データ制御ネットワーク３１を含む。データ制御ネットワーク３１は複数のデータポート３２を含み、データポート３２は、データ制御ネットワーク３１とそれぞれの医療用モジュール１６の間のデータ通信を容易にするために、医療用モジュール１６の適応型インタフェース２０に接続可能である。一実施形態によると、データ制御ネットワーク３１は、ＩＥＥＥ８０２．３の１０／１００Ｍｂｐｓイーサネット（登録商標）ローカルエリアネットワークを含む。別の実施形態において、データネットワーク３１は、電力受取後１０秒以内に完全に動作可能になる。モジュール１６は、データ制御ネットワーク３１から受信したデータ通信を医療装置１８の動作データ条件に適合させるモジュールデータ変換器３４を含んでもよい。これに関して、モジュールデータ変換器３４は、適応型インタフェース２０および医療装置１８と通電状態にある。複数のモジュール１６は、所与の瞬間においてデータ制御ネットワーク３１に接続されてもよいことを理解されたい。モジュール１６は、別々のデータ必要条件を有する医療装置１８を含んでもよい。したがって各モジュール１６のモジュールデータ変換器２２は、データ制御ネットワーク３１から受信した通信を、対応する医療装置１８の個々のデータ条件に適合させてもよい。
【００２２】
本発明の一態様は、共通のデータ言語による、データ制御ネットワーク３１に沿ってデータ通信を含む。したがって各モジュールデータ変換器３４は、データを共通のデータ言語から、対応する医療装置１８が理解できる言語に変換するように構成されてもよい。同様にモジュールデータ変換器３４は、データを医療装置１８が理解できる言語から、共通
のデータ言語に変換するように構成されてもよい。
【００２３】
本発明の特定の実施形態は、ＯＥＭ医療装置３０としての医療装置３０を含む。ＯＥＭ医療装置３０は、データ制御ネットワーク３１に沿って通信されるデータ言語を理解できない場合がある。したがってモジュールデータ変換器３４は、ＯＥＭ医療装置３０とデータ制御ネットワーク３１の間の通信を容易にするものであってもよい。医療装置１８またはＯＥＭ医療装置３０のそれぞれは、異なるデータ言語を理解してもよい。したがってモジュールデータ変換器３４は、対応する医療装置１８またはＯＥＭ医療装置３０に特異的に調整されてもよい。これに関して、モジュールデータ変換器３４は、データ制御ネットワーク３１と医療装置１８の間の互換性を可能にする。医療装置１８は、モジュールデータ変換器３４なしではデータネットワーク３１と通信できない場合がある。またモジュールデータ変換器３４によって、それぞれ独自のデータ言語を有し得る複数の医療装置１８は共通のデータ言語で制御ユニット１２と通信を行える。
【００２４】
データ制御ネットワーク３１は、データ記録装置４０と通電状態にあってもよい。データ記録装置４０は、データ制御ネットワーク３１に沿って通信されるデータとコマンドを保存するように構成されている。データ記録装置４０は、長期治療計画（たとえば、初期安定化、陸上輸送、病期診断、戦域内待避、病期診断、米国本土（ＣＯＮＵＳ）退避に対応するための記憶容量を備えてもよい。データ記録装置４０は、モジュール１６によって監視されたすべての装置情報（生理学的データ、治療イベント、注釈、アラーム、環境情報など）を維持してもよい。一実施形態によると、データ記録装置４０はこのような情報を最低７２時間、損失することなく保存できる。一実施形態において、制御ユニット１２はデータ記録装置４０からデータを取得することができる。このようなデータは、患者の特定の治療または療法を決定するのに役立つ場合がある。データ記録装置４０は、フラッシュマルチメディアカード、コンパクトフラッシュ（登録商標）、またはデータのログを記録する他の同様の装置を使用してもよい。データは、外部記憶装置（たとえば、ＵＳＢディスクドライブ）によって記録されてもよい。本発明の一実施形態において、低内部電源条件の場合またはシステムパワーダウンの警告が出た場合、モジュール１６はフェイルセーフ（ＦＡＩＬＳＡＦＥ）モードに入り、情報の記録が停止され、必要な情報はすべて補助記憶装置に保存される。
【００２５】
図３を参照すると、本発明の特定の実施形態は、電力を伝達する機能を備えた制御ネットワーク１０を含む。このような制御ネットワーク１０は、電力制御ネットワーク４４を含む。電力制御ネットワーク４４は複数の電力ポート４８を含み、この電力ポート４８は制御ユニット１２および電源と通電状態にある。モジュール１６は、電力ポート４８を介して電力制御ネットワーク４４に接続される。モジュール１６が電力ポート４８に接続される場合、電力制御ネットワーク４４からモジュール１６に電力が伝達されてもよい。各モジュール１６の適応型インタフェース２０は、電力ポート４８に繋がると電力ポート４８から電力を受け取るように構成されてもよい。特定の一実施形態において、電力制御ネットワーク４４は４８Ｖの直流電流を供給する。別の実施形態において、電力制御ネットワーク４４は、電源がその最小電圧に到達して１００ミリ秒以内に、モジュール１６に電力を供給できる。
【００２６】
電力制御ネットワーク４４によってモジュール１６に供給される電圧は、対応する医療装置１８には許容されない場合があると想定される。したがって、モジュール１６はモジュール電力アダプタ４６を含んでもよく、このモジュール電力アダプタ４６は、電力制御ネットワーク４４から受け取る電力を、特定の医療装置１８の個々の電力条件に変換するように構成されている。このモジュール電力変換器４６によって、医療装置１８は電力制御ネットワーク４４に統合可能になる。電力制御ネットワーク４４が供給する電力とは異なる電力条件を有する医療装置１８は、電力アダプタ４６が行う電力変換によって動作可
能になってもよい。
【００２７】
上記のように、電力制御ネットワーク４４は、電源と通電状態にある。本発明の様々な態様によると、電源は内部電源５２および外部電源５６の両方を含んでもよい。内部電源５２は、バッテリまたは他の内蔵型電源装置を含んでもよく、外部電源５６は、壁に設置された電源ソケットを含んでもよい。電力制御ネットワーク４４は更に、交流（ＡＣ）電源および／または直流（ＤＣ）電源から電力を受け取ることが可能であってもよい。
【００２８】
本発明の一実施形態において、電力管理ユニット５８は電力の供給と消費を監視するために、電力制御ネットワーク４４と通電状態にある。外部電源５６が利用できない場合、電力管理ユニット５８は内部電源５２に対し、電力制御ネットワーク４４に電力を供給するように指示する。特定の一実施形態によると、内部電源５２は電力制御ネットワーク４４に電力を供給することができ、電力制御ネットワーク４４は完全に充電されると、少なくとも約６０分間、電力を伝達することができる。電力制御ネットワーク４４は、長期間動作できるように、複数の内部電源５２に接続可能であってもよい。内部電源５２の使用を最適化するには、一度に１つの内部電源５２を用いて、この電源５２の放電が行われるまで電力を供給してもよい。
【００２９】
電力管理ユニット５８は、内部電源５２の充電状態を監視してもよい。内部電源５２の管理を適切に行うことは、内部電源５２の性能および使用を最適化するのに不可欠である。この管理は、内部電源５２の充電を制御する機能の提供を含む。この目的の一部として、電力制御ネットワーク４４は充電器を含んでもよい。また、設置毎にユーザが内部電源管理を最適化できるように、複数の内部電源５２が充電される順序について優先順位を決める機能を提供することが望ましい。外部電源５６が電力供給可能である時には内部電源５２を充電することが望ましい場合がある。一方、ピーク電流の制限を越えないことを保証すべく医療装置が動作しているとき、電力管理によって任意の内部電源５２の充電が行えない場合がある。１組の医療装置の一部のみが動作しているとき、トリクル充電が可能であってもよい。
【００３０】
本発明の一態様は、内部電源５２をホットスワップする機能を提供する。つまり内部電源５２は、ホスト装置の動作時に電力ネットワーク４４に追加されても電力ネットワーク４４から除去されてもよい。これは内部電源５２の電力がほとんど放電されている場合に有益となり得る。放電された内部電源５２は、完全に充電された内部電源５２と取り替えられてもよい。
【００３１】
電源が切られる場合、幾つかのモジュール１６は、電力がなくなる前に必要なシャットダウン機能を実行するための時間を必要とする場合がある。このため一実施形態によると、電源モジュール変換器４６は損傷またはデータ破壊を防ぐために、電力の損失を検出し、且つ必要に応じてある期間モジュール１６に電力を供給し続ける機能を提供する。
【００３２】
モジュール１６または電力制御ネットワーク４４への電力が全体として無くなる前に、ホスト装置を次回使用する際に必要なすべての情報が、不揮発性メモリ（たとえば、上記のデータ記録装置４０）に保存されてもよく、記憶装置を対象としたすべての情報が将来回復可能となり、次回の電源投入時に装置が同じ動作状態にリストアされる。
【００３３】
一実施形態によると、電力制御ネットワーク４４は、適用可能なＦＤＡおよび／またはヨーロッパ規制のアラーム条件に準拠する。このように電力制御ネットワーク４４は、バッテリ電源の切迫した損失を示すべく、約５分前に聴覚と視覚両方によるアラームを与え、その後継続してもよい。電力制御ネットワーク４４は、十分なバッテリ容量が追加されたとき、または互換性のある外部電源５６に接続されたとき、電源障害アラームを自動的
に停止してもよい。
【００３４】
図４を参照すると、様々な医療装置１８が幅広い電力条件を必要とする場合が想定される。このため、高電力制御ネットワーク４４と低電力制御ネットワーク４４を提供することは有益な場合がある。低電力ネットワーク４４は、電力のより高い安定性を必要とする低電流モジュール６０が存在する内部ネットワークへの電力供給に関与している。高電力ネットワーク４４は、高電流モジュール６４への電力供給に関与している。このような高電流装置が存在する場合、電気機械部品によって与えられる電磁効果を制限すべく適切にフィルタリングを行うことによって、高電流モジュール６４は低電流モジュール６０から分離されてもよい。高電力ネットワーク４４は複数の高電力ポート６６を含み、低電力ネットワーク４４は複数の低電力ポート６２を含む。高電力モジュール６４は、高電力ネットワーク４４から電力を受け取る。図５を参照すると、高電力モジュール６４は、高電流を必要とする高電力医療装置８４を含む。高電力モジュール６４は、高電力ポート６６に接続可能な適応型インタフェース２０を含む。モジュール電力変換器４６は電力を受け取り、高電力医療装置８４の条件に準じてその電力を変換する。
【００３５】
図６を参照すると、低電力モジュール６０は低電力ネットワーク４４から電力を受け取る。低電力モジュール６０は、低電流を必要とする低電力医療装置８６を含む。低電力モジュール６０は、低電力ポート６２に接続可能な適応型インタフェース２０を含む。モジュール電力変換器４６は電力を受け取り、低電力医療装置８６の条件に準じてその電力を変換する。高電力および低電力のネットワーク４４は、高電力、低電力モジュール６０，６４に合理的に電力を分割するものである。しかしながら、２つの電力ネットワークにおいて、モジュール１６が異なる電力条件を有することは必要でないが、本発明のある実施形態においては望ましい場合があることが留意される。
【００３６】
上記のデータ、電力制御ネットワーク３１，４４に加え、本発明の別の態様は、図７に示すように温度制御ネットワーク８７を含む。ホスト装置は、幅広い環境と温度において動作し得ることが理解される。したがって、周囲温度の電子機器や熱を発生する電子機器によって、熱が蓄積される場合がある。温度制御ネットワーク８７は温度が所望の動作限界値を越えると、熱の冷却動作または加熱動作を行うことによって、自身に接続されているモジュール１６の温度を自動的に制御するように構成されている。このような冷却動作および加熱動作は、温度が所望の動作範囲内に戻ると自動的に停止してもよい。加熱／冷却の開始および加熱／冷却の終了の閾値温度をユーザが設定できるように、動作閾値と停止閾値は制御可能であってもよい。
【００３７】
温度制御ネットワーク８７は、複数の温度制御ポート９２と複数のデータ制御ポート９８を含む。温度制御ポート９２は、温度流体バス８９（ｂｕｓ）に流体接続される。様々な実施形態は、加熱温度制御バス８９および別個の冷却温度制御バス８９を含むが、１つの温度制御バス８９が使用されてもよい。温度データ制御ポート９８は、温度、データ制御ネットワーク８７，３１の両方を含むホスト装置において、上記のデータ制御ネットワーク３１に統合されてもよいことを理解されたい。温度制御ネットワーク８７は、温度制御ユニット８８とファン９０を更に含む。ファン９０は温度制御ユニット８８と通電状態にあり、温度流体バス８９と連通している。ファン９０は、温度流体バス８９に沿って流体を流すように構成されている。これに関して、モジュール１６の加熱または冷却が可能な流体は、温度流体バス８９に沿って伝達されてもよい。流体は、気体、液体、またはそれらの組み合わせを含んでもよい。ファン９０は、温度制御ユニット８８から伝達された動作命令に応じて、このような流体を温度流体バス８９に沿って移動させる。
【００３８】
モジュール１６の適応型インタフェース２０は、複数の温度制御ポート９２のうちの１つに流体接続可能であり、データ制御ポート９８のうちの１つに電気接続可能である。モ
ジュール温度センサ１００は、適応型インタフェース２０と通電状態にある。モジュール温度センサ１００は、モジュール１６内の温度を監視するように、および温度制御ユニット８８にモジュール温度を送信するように構成されている。モジュール温度センサ１００はまた、特定のモジュール１６の閾値温度を、温度制御ユニット８８に伝達することが可能であってもよい。これに代えて、閾値温度はユーザによって温度制御ユニット８８にプログラムされてもよい。
【００３９】
モジュール温度センサ１００は、モジュール１６内の温度を監視し、温度制御ユニット８８に温度データを送信する。これに応じて、温度制御ユニット８８はモジュール１６に流体を流すことによって、モジュール１６の温度を動作可能範囲内に維持しようとする。
【００４０】
温度制御ネットワーク８７は、複数の温度制御ポート９２のそれぞれと連通する複数の温度制御弁９４を更に含んでもよい。温度制御弁９４はまた、温度制御ユニット８８と通電状態にある。温度制御弁９４は、温度制御ポート９２において加熱または冷却流体の通過を制御するように構成されている。これに関して、加熱または冷却流体は特定のモジュール１６に流入可能とされ、他のモジュール１６には流入できないようにされてもよい。このようにして、個々のモジュール１６の温度制御が達成されてもよい。
【００４１】
本発明の別の実施形態は、複数のモジュール排出制御ポート９６を含む。この排出制御ポート９６は、適応型インタフェース２０に流体接続可能であってもよい。この場合、モジュール１６から温度流体バス８９に流体が排出される。別の実施形態において、排出制御ポート９６はモジュール１６内部から外気に流体を排出してもよい。モジュール１６内部から流体が排出されると、ファン９０からの流体は、モジュール１６内の温度を制御すべくモジュール１６に流入可能とされてもよい。
【００４２】
様々な治療および療法が患者との間の流体移動を含むことが想定される。したがって、本発明の様々な態様は、図８に示すように、このような流体移動を行うための流体制御ネットワーク１０１を含む。流体制御ネットワーク１０１は、流体制御ユニット１０２と複数の流体制御ポート１０４を含む。流体制御ユニット１０２は、流体制御ネットワーク１０１に沿った流体の伝達を制御するように動作する。流体源は、流体制御ネットワーク１０１に連通しており、流体制御ネットワーク１０１に流体を供給する。流体制御ネットワーク１０１は、流体の放出を容易にするために、流体放出ポート１２０を更に含んでもよい。このような流体は、液体、気体、またはそれらの組み合わせであってもよい。流体源は、酸素貯蔵器１１２または酸素発生装置１１４を含んでもよい。酸素発生装置１１４は、流体制御ネットワーク１０１に医療等級の酸素を供給可能であってもよい。流体制御ネットワーク１０１はまた、外部流体源１１８に接続可能な外部流体ポート１１６を含んでもよい。上記は流体源を酸素貯蔵器１１２と酸素発生装置１１４を含むものとして記載しているが、本発明の精神および範囲から逸脱することなく、当業者に既知の他の流体源が使用されてもよい。
【００４３】
各モジュール１６の適応型インタフェース２０は、複数の流体制御ポート１０４のうちの１つとの接続を容易にするように構成されてもよい。適応型インタフェース２０はまた、医療装置１８と連通してよい。モジュール１６はまた、モジュール１６から外部収集部材への流体放出を可能とするために、医療装置１８と連通した流体排出ポート１１０を含んでもよい。これに代えて、適応型インタフェース２０は、モジュール１６から流体ネットワーク１０１への流体放出を可能とするために、ネットワーク放出ポート１０８に流体接続可能であってもよい。流体ネットワーク１０１の一実施形態は、吸入プレナムおよび別個の排出プレナムを含み、吸入プレナムはモジュール１６に流体を送り出し、排出プレナムは排出された流体をモジュール１６から伝達して除くことが想定される。
【００４４】
１つ以上の流体制御ポート１０４は、それぞれの流体制御ポート１０４を通じる流体の流れを制御するように構成された弁１０６を含んでもよい。弁１０６は、流体制御ユニット１０２と通電状態にあってもよく、それぞれの流体制御ポート１０４と連通してもよい。流体制御ユニット１０２は、このような流体の流れの制御に関する動作命令を弁１０６に伝達してもよい。これに関して、特定のモジュール１６への特定の流体の移動が達成されてもよい。
【００４５】
ホストシステムが上記のデータ制御ネットワーク３１、電力制御ネットワーク４４、温度制御ネットワーク８７、および流体制御ネットワーク１０１のうちのいずれか１つまたはそれらの組み合わせを含むことが想定される。各モジュール１６は、データ、電力、温度、流体ネットワーク３１，４４，８７，１０１のうちの１つ以上に対し、そのネットワークのデータ、電力、温度、流体ポート３２，４８，９２，１０４にそれぞれ接続することによって、接続してよい。これに関して、複数の電力ポート４８は同じ寸法であり、複数のデータポート３２は同じ寸法である。また、複数の温度ポート９２は同じ寸法であり、複数の流体ポート１０４は同じ寸法である。このような共通性によって、実行中のホストシステムの医療機能を変更可能にするためにそれほど手間を要さずに、迅速かつ容易にモジュール１６の追加または除去が行える。したがって、条件が変化し、異なる医療機能が必要とされる場合、それに応じてモジュール１６の追加または除去が行われてもよい。特定の一実施形態において、モジュール１６は必要に応じて「ホットスワップ」されてもよい。つまりモジュール１６は、データを損失したり、ホストシステムまたはモジュール１６に損傷を与えたりすることなく、ホストシステムの動作時に追加または除去されてもよい。
【００４６】
制御ネットワーク１０は、モジュール１６の構成における変更（追加、除去、または更新など）の自動検出を行ってもよい。制御ネットワーク１０はモジュール１６の変更を検出すると、存在すると分かった機能へのアクセスに必要とされる適切な制御および表示機能を自動的に提供してもよい。好適には、制御ネットワーク１０は、制御ネットワーク１０に接続されているものとして検出されたモジュール１６に対してのみ、制御および表示を提供する。
【００４７】
上記のように、動作命令は、制御ネットワーク１０に沿って制御ユニット１２から伝達されてもよい。様々な実施形態によると、動作命令はユーザインタフェース３６を介してユーザによって入力されてもよく、ユーザインタフェース３６は制御ユニット１２と通電状態にあってもよい。このように、ユーザは実行される特定の治療または療法に準じて動作命令を入力してもよい。
【００４８】
本発明の別の態様によると、制御ユニット１２は、複数の動作モードについて予め設定された動作命令を含んでもよい。したがって、ユーザが動作モードを入力するだけで、制御ユニット１２は対応する動作命令を適切な医療用モジュール１６に伝達する。
【００４９】
別の実施形態によると、装置はユーザインタフェース３６を含む。ユーザインタフェース３６は、制御ネットワーク１０と通電状態にあってもよい。ユーザインタフェース３６は、実行されている治療または療法に関する情報を表示することができる。この情報は、次に限定されないが、動作モード、患者データ（すなわち、身長、体重、性別）、治療データ／療法データ、モジュール１６からの測定データ、および電源レベルを含んでもよい。また情報はセンサパレット（ｐａｌｌｅｔ）によって取得されてもよく、センサパレットは、周囲温度、相対湿度、気圧や、ホストシステムの高度、傾斜、および加速度だけでなく、周囲温度、相対湿度、気圧の測定および記録を行ってもよい。また情報は、ユーザインタフェース３６上において、オペレータに表示されてもよい。
【００５０】
ユーザインタフェース３６が、オペレータが制御ネットワーク１０に命令を入力することを可能にするためにも用いられることが想定される。一実施形態において、ユーザインタフェース３６は、タッチスクリーンを備えたＬＣＤディスプレイであり、このＬＣＤディスプレイを通じて、ユーザはデータおよび／またはコマンドの入力を行ってもよい。タッチスクリーンは、一次的な表示装置であるとともに二次的な入力装置であってもよい。本発明の別の実施形態において、表示機能とユーザ入力機能は、別々のユニットに分けられる。
【００５１】
制御ネットワーク１０によって情報が受信されると、この情報を外部に伝達することが望ましい場合がある。このように制御ネットワーク１０は、外部プリンタ２６と通信を行うように動作する印刷ポート２４を含んでもよい。印刷ポート２４は、制御ネットワーク１０と通電状態にあり、制御ネットワーク１０からデータを受信することができる。また制御ネットワーク１０は、外部ネットワークに接続するように構成された外部ネットワーク接続部２８を含んでもよい。外部ネットワーク接続部２８は、制御ネットワーク１０と通電状態にあり、制御ネットワーク１０からデータを受信することができる。データは外部接続部２８を介して病院へ伝達されてもよい。緊急事態においては、患者の治療データまたは療法データを病院に伝達し、医療チームを患者の到着に備えさせることが望ましい場合がある。また、治療もしくは療法の情報またはプロトコルが、外部接続部２８を介して病院から装置に伝達されてもよい。
【００５２】
制御ネットワーク１０の一実施形態が制御ネットワーク１０と通電状態にあるアラーム管理ユニット４２を含むことが想定される。患者データが少なくとも１つのアラーム限界と等しい場合、アラーム管理ユニット４２は、アラーム信号を伝達する。本明細書において、アラーム限界は状態、レベル、または単位時間であり、これはユーザによって設定されてもよく、予めプログラムされた命令に含まれてもよい。これに関して、患者データがアラーム限界と等しい場合、アラーム管理ユニット４２はオペレータに警告を発する。
【００５３】
以下に、本発明の一実施形態による電力の初期化および使用について記載する。ユーザは、まず電源（すなわち、外部ＡＣまたはＤＣ電源、または充電したバッテリ）を提供することによって、ホストシステムの電源投入を行う開始する。次いでユーザは、装置ブレーカを閉にし（スタンバイ（ＳＴＡＮＤＢＹ）電力状態）、電源スイッチを押す（オン（ＯＮ）状態）。装置は起動（ＲＵＮ）状態になり、ディスプレイ３６はＯＮ電力インジケータ（および利用可能な場合、バッテリ・オン（ＯＮ  ＢＡＴＴＥＲＹ）インジケータ）を点灯させる。ＲＵＮ状態になると電力制御ネットワーク４４が適用され、電力制御ネットワーク４４に接続された各モジュール１６内のモジュール電力変換器４６に対し電力が供給される。モジュール電力変換器４６は、バルク電力ネットワークの電力を、種々の電圧、共通のフィルタリング、およびモジュール１６が要求する基本電力の監視に変換する。ホストシステムのシャットダウンが開始されるまで、一次的な制御および表示によって、モジュールデータ変換器３４に関連したホストシステムの動作は処理される。ホストシステムのシャットダウンを行う場合、ユーザは電源ボタンを押したまま、ホストシステムのシャットダウンを行いたいことを表示装置３６を介して確認する。
【００５４】
上記は例示であって、限定的なものではない。上記の開示を前提とし、本技術分野の当業者は、本明細書に開示する本発明の範囲内および精神内において変形例を考案することができる。また、本明細書に開示する実施形態の様々な特徴は、単独でまたは互いに様々に組み合わせて用いられてもよく、本明細書に記載の特定の組み合わせに限定されるものではない。したがって特許請求の範囲は、説明した実施形態によって限定されるものではない。
【図１】
2011502637.tif 000003
【図２】
2011502637.tif 000004
【図３】
2011502637.tif 000005
【図４】
2011502637.tif 000006
【図５】
2011502637.tif 000007
【図６】
2011502637.tif 000008
【図７】
2011502637.tif 000009
【図８】
2011502637.tif 000010
【国際調査報告】
2011502637.tif 000011